(57)【要約】【課題】  空気流路を形成するダクトにフィルタユニットを接続して構成される空気清浄システムにおいて、フィルタ交換作業時の使用済みフィルタの取り外し時に、使用済みフィルタから細菌類が生きている状態で飛散するのを防止する。【解決手段】  空気調和システム１は、空気流路を形成するダクト１１、１３、１６、１７、１８と、空気流路内に空気を流す送風機１５、２０と、ダクト１１、１３、１６、１７、１８に接続されたフィルタユニット１９とを備えている。フィルタユニット１９は、空気中に含まれる塵埃や細菌類を捕捉するフィルタ９２を有している。フィルタユニット１９には、フィルタ９２の取り外し時にフィルタ９２から細菌類が生きている状態で飛散するのを防止する生菌飛散防止処理に使用する生菌飛散防止処理用手段をフィルタユニット１９内又はダクト１６、１７、１８内に挿入するための挿入部９１ａが設けられている。【選択図】      図２
2006014848.tif 000002
【特許請求の範囲】
【請求項１】
空気流路を形成するダクト（１６、１７、１８）と、
前記空気流路内に空気を流す送風手段（１５、２０）と、
空気中に含まれる塵埃や細菌類を捕捉するフィルタ（９２）を有しており、前記ダクトに接続されたフィルタユニット（１９）とを備え、
前記フィルタユニット又は前記ダクトには、前記フィルタの取り外し時に前記フィルタから細菌類が生きている状態で飛散するのを防止する生菌飛散防止処理に使用する生菌飛散防止処理用手段を前記フィルタユニット内又は前記ダクト内に挿入するための挿入部（９１ａ、９１ｂ）が設けられている、
空気清浄システム（１）。
【請求項２】
前記挿入部（９１ａ）は、開口である、請求項１に記載の空気清浄システム（１）。
【請求項３】
前記生菌飛散防止処理用手段を前記挿入部（９１ａ、９１ｂ）から挿入した状態において、前記送風手段（１５、２０）により前記フィルタ（９２）に空気を流す運転を行うことが可能である、請求項１又は２に記載の空気清浄システム（１）。
【請求項４】
前記送風手段（１５、２０）は、風量を可変することが可能な送風ファンである、請求項３に記載の空気清浄システム（１）。
【請求項５】
前記フィルタ（９２）は、光半導体を含んでいる、請求項２に記載の空気清浄システム（１）。
【請求項６】
前記光半導体は、光半導体能を有するアパタイトである、請求項５に記載の空気清浄システム（１）。
【請求項７】
前記挿入部（９１ｂ）は、ノズルである、請求項１に記載の空気清浄システム（１）。
【請求項８】
前記フィルタ（９２）を含む前記挿入部（９１ｂ）の上流側から前記フィルタの下流側までの間の空間を遮断することが可能な開閉機構（９８）をさらに備えている、請求項７に記載の空気清浄システム（１）。
【請求項９】
ダクト（１６、１７、１８）に接続されて空気清浄システムを構成するフィルタユニットであって、
前記ダクトに接続されるユニットケーシング（９１）と、
前記ユニットケーシングに支持されており、空気中に含まれる塵埃や細菌を捕捉するフィルタ（９２）とを備え、
前記ユニットケーシングには、前記フィルタの取り外し時に前記フィルタから細菌類が生きている状態で飛散するのを防止する生菌飛散防止処理に使用する生菌飛散防止処理用手段を内部に挿入するための挿入部（９１ａ、９１ｂ）が設けられている、
フィルタユニット（１９）。
【請求項１０】
前記挿入部（９１ａ）は、開口である、請求項９に記載のフィルタユニット（１９）。
【請求項１１】
前記フィルタ（９２）は、光半導体を含んでいる、請求項１０に記載のフィルタユニット（１９）。
【請求項１２】
前記光半導体は、光半導体能を有するアパタイトである、請求項１１に記載のフィルタユニット（１９）。
【請求項１３】
前記挿入部（９１ｂ）は、ノズルである、請求項９に記載のフィルタユニット（１９）。
【請求項１４】
前記フィルタ（９２）を含む前記挿入部（９１ｂ）の上流側から前記フィルタの下流側までの間の空間を遮断することが可能な開閉機構（９８）をさらに備えている、請求項１３に記載のフィルタユニット（１９）。
【請求項１５】
空気流路を形成するダクト（１６、１７、１８）と、前記空気流路内に空気を流す送風手段（１５、２０）と、空気中に含まれる塵埃や細菌類を捕捉するフィルタ（９２）を有しており前記ダクトに接続されたフィルタユニット（１９）とを備えた空気清浄システム（１）において、前記フィルタを交換するフィルタ交換方法であって、
前記フィルタユニット又は前記ダクトに設けられた挿入部（９１ａ、９１ｂ）から、生菌飛散防止処理用手段を前記フィルタユニット内又は前記ダクト内に挿入し、
前記生菌飛散防止処理用手段を使用して、前記フィルタから細菌類が生きている状態で飛散するのを防止する生菌飛散防止処理を行い、
前記フィルタを取り外した後に、新しいフィルタと交換する、
フィルタ交換方法。
【請求項１６】
前記生菌飛散防止処理時に、前記生菌飛散防止処理用手段を前記挿入部（９１ａ、９１ｂ）に挿入した状態において、前記送風手段（１５、２０）により前記フィルタ（９２）に空気を流す運転を行う、請求項１５に記載のフィルタ交換方法。
【請求項１７】
前記生菌飛散防止処理時に、前記送風手段（１５、２０）により前記フィルタ（９２）に流される空気の風量を制御する、請求項１６に記載のフィルタ交換方法。
【発明の詳細な説明】
【技術分野】
【０００１】
本発明は、空気清浄システム、フィルタユニット、及びフィルタ交換方法、特に、空気流路を形成するダクトにフィルタユニットを接続して構成される空気清浄システム、このような空気清浄システムに使用されるフィルタユニット、及び、そのフィルタ交換方法に関する。
【背景技術】
【０００２】
従来より、建物内に空気流路を形成するダクトを通じて室内の空気清浄を行う空気清浄システムが用いられている。このような空気清浄システムは、主として、室外空気の室内への給気、室内空気の室外への排気や室内空気の循環を行うためのダクトと、ダクトに接続されたフィルタユニットと、送風手段としての送風ファンとを備えている。そして、この空気清浄システムを構成するフィルタユニットには、室内の清浄度合いに応じて、ＨＥＰＡ、高性能や中性能フィルタが設けられており、このフィルタは、定期的に、又は、フィルタの集塵性能が低下した場合に、使用済みフィルタとして取り外されて、新しいフィルタと交換された後に、廃棄される。
【０００３】
そして、このような空気清浄システムを医療施設等の建物内に使用する場合には、フィルタに塵埃とともに細菌類も捕捉されることになる。このため、フィルタ交換作業時には、使用済みフィルタを取り外して、滅菌処理を行った後に、廃棄処理するのが通常である（例えば、特許文献１参照。）。
しかし、使用済みフィルタの取り外し時には、使用済みフィルタに捕捉された細菌類が生きている状態で飛散して、フィルタ交換作業者が細菌類を含んだ塵埃を吸入したり、医療施設内の空気中に飛散させてしまうおそれがある。別途、加熱空気によりフィルタに捕捉された細菌類を死滅させることによってフィルタ交換作業を不要にする方法（例えば、特許文献１及び２参照）も提案されているが、細菌類を死滅させるための手段を予め設けておく必要があるため、空気清浄システム全体としてコストアップが生じてしまうことになり望ましくない。
【特許文献１】特開２００２−１１０８３号公報
【特許文献２】特開平５−３２２２１９号公報
【特許文献３】特開平８−２３３３１０号公報
【発明の開示】
【発明が解決しようとする課題】
【０００４】
本発明の課題は、空気流路を形成するダクトにフィルタユニットを接続して構成される空気清浄システムにおいて、フィルタ交換作業時の使用済みフィルタの取り外し時に、使用済みフィルタから細菌類が生きている状態で飛散するのを防止することにある。
【課題を解決するための手段】
【０００５】
第１の発明にかかる空気清浄システムは、空気流路を形成するダクトと、空気流路内に空気を流す送風手段と、ダクトに接続されたフィルタユニットとを備えている。フィルタユニットは、空気中に含まれる塵埃や細菌類を捕捉するフィルタを有している。フィルタユニット又はダクトには、フィルタの取り外し時にフィルタから細菌類が生きている状態で飛散するのを防止する生菌飛散防止処理に使用する生菌飛散防止処理用手段をフィルタユニット内又はダクト内に挿入するための挿入部が設けられている。
【０００６】
この空気清浄システムでは、生菌飛散防止処理用手段をフィルタユニット内又はダクト内に挿入するための挿入部が設けられているため、フィルタ交換時において、使用済みフィルタを取り外す前に、滅菌処理やフィルタのコーティング処理等の生菌飛散防止処理を行うことができる。これにより、この空気清浄システムでは、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。
【０００７】
第２の発明にかかる空気清浄システムは、第１の発明にかかる空気清浄システムにおいて、挿入部は開口である。
この空気清浄システムでは、挿入部が開口であるため、生菌飛散防止処理用手段として使用可能な加熱機器、電磁波照射器、オゾン等の活性種を生成する放電器等をフィルタユニット内又はダクト内に設置したり、生菌飛散防止処理の作業者が液体殺菌剤の散布、固体殺菌剤の散布、バイオ抗体の散布やコーティング剤の塗布等を行うためにフィルタユニット内又はダクト内にアクセスすることができる。
【０００８】
第３の発明にかかる空気清浄システムは、第１又は第２の発明にかかる空気清浄システムにおいて、生菌飛散防止処理用手段を挿入部から挿入した状態において、送風手段によりフィルタに空気を流す運転を行うことが可能である。
生菌飛散防止処理用手段として、熱風によりフィルタを加熱する加熱機器、オゾン等の活性種を生成する放電器、殺菌剤やバイオ抗体の散布等を使用する場合には、熱風、活性種、殺菌剤やバイオ抗体をフィルタに確実に到達させなければ、十分な滅菌効果を発揮することができない。しかし、この空気清浄システムでは、生菌飛散防止処理用手段を挿入部から挿入した状態において、送風手段によりフィルタに空気を流す運転を行うことが可能であるため、熱風によりフィルタを加熱する加熱機器、オゾン等の活性種を生成する放電器、殺菌剤やバイオ抗体の散布等を使用する場合であっても、熱風、活性種、殺菌剤やバイオ抗体をフィルタに確実に到達させることができる。これにより、フィルタ交換作業時の使用済みフィルタの取り外し前に、確実に滅菌処理を行うことができる。
【０００９】
第４の発明にかかる空気清浄システムは、第３の発明にかかる空気清浄システムにおいて、送風手段は、風量を可変することが可能な送風ファンである。
この空気清浄システムでは、送風手段が風量を可変することが可能な送風ファンであるため、生菌飛散防止処理用手段として、熱風によりフィルタを加熱する加熱機器、オゾン等の活性種を生成する放電器、殺菌剤やバイオ抗体の散布等を使用する場合には、生菌飛散防止処理作業時に、フィルタを通過する空気の流速を抑える制御を行うことによって、フィルタ付近における、熱風、活性種、殺菌剤やバイオ抗体の滞留時間を長くすることができる。これにより、フィルタの滅菌効果を高めることができる。
【００１０】
第５の発明にかかる空気清浄システムは、第２の発明にかかる空気清浄システムにおいて、フィルタは、光半導体を含んでいる。
この空気清浄システムでは、光半導体がフィルタの基材に担持、塗布、練り込み等により含まれているフィルタを備えているため、生菌飛散防止処理時に、挿入部から光源を挿入してフィルタを照射することによって、フィルタに捕捉された細菌類を死滅させることができる。これにより、フィルタ交換作業時の使用済みフィルタの取り外し前に、確実に滅菌処理を行うことができる。ここで、「光半導体」とは、酸化チタン、チタン酸ストロンチウム、酸化亜鉛、酸化タングステンや酸化鉄等に代表される金属酸化物、Ｃ６０等のフラーレンに代表される炭素系の光半導体、遷移金属からなるナイトライド、オキシナイトライド、光半導体能を有するアパタイト等である。
【００１１】
第６の発明にかかる空気清浄システムは、第５の発明にかかる空気清浄システムにおいて、光半導体は、光半導体能を有するアパタイトである。
フィルタの基材としては、通常、ガラス繊維、バインダとして樹脂を含む有機材料や不織布等の樹脂からなるものがよく用いられる。ところが、光半導体は樹脂を腐食する性質を有するため、樹脂を含むフィルタ基材に光半導体を担持、塗布、練り込み等により含まれるようにすると、フィルタ基材を腐食してしまうおそれがある。しかし、この空気清浄システムでは、光半導体が光半導体能を有するアパタイトを含むフィルタを備えており、光半導体能を有するアパタイトは樹脂を腐食しない性質を有するため、フィルタの基材に担持、塗布、練り込み等により含まれるようにする際に好適である。また、アパタイトは、細菌類との親和性が良好であるため、滅菌効果を高めるのにも寄与することができる。尚、「光半導体能を有するアパタイト」とは、例えば、カルシウムイオンをチタンイオンでイオン交換して光半導体能を持たせたカルシウムヒドロキシアパタイト等をいう。
【００１２】
第７の発明にかかる空気清浄システムは、第１の発明にかかる空気清浄システムにおいて、挿入部はノズルである。
この空気清浄システムでは、挿入部がノズルであるため、生菌飛散防止処理用手段としてガス殺菌剤の散布を使用する際に、このノズルを通じて、フィルタユニット内又はダクト内にガス殺菌剤を流入させることができる。これにより、ガス殺菌剤がフィルタユニット又はダクトの外側の空間に漏れるのを防ぐことができるため、滅菌効果を高めることができる。
【００１３】
第８の発明にかかる空気清浄システムは、第７の発明にかかる空気清浄システムにおいて、挿入部を含むフィルタの上流側からフィルタの下流側までの間の空間を遮断することが可能な開閉機構をさらに備えている。
この空気清浄システムでは、挿入部を含むフィルタの上流側からフィルタの下流側までの間の空間を遮断することが可能な開閉機構をさらに備えているため、生菌飛散防止処理用手段としてガス殺菌剤の散布を使用する際に、フィルタ付近の空間のみを他の空気流路と縁切りすることができる。これにより、ガス殺菌剤が空気流路を通じて建物内の他の空間に漏れるのを防ぐことができるため、滅菌効果を高めることができる。
【００１４】
第９の発明にかかるフィルタユニットは、ダクトに接続されて空気清浄システムを構成するフィルタユニットであって、ダクトに接続されるユニットケーシングと、ユニットケーシングに支持されており空気中に含まれる塵埃や細菌類を捕捉するフィルタとを備えている。ユニットケーシングには、フィルタの取り外し時にフィルタから細菌が生きている状態で飛散するのを防止する生菌飛散防止処理に使用する生菌飛散防止処理用手段を内部に挿入するための挿入部が設けられている。
【００１５】
このフィルタユニットでは、生菌飛散防止処理用手段をユニットケーシング内に挿入するための挿入部が設けられているため、フィルタ交換時において、使用済みフィルタを取り外す前に、滅菌処理やフィルタのコーティング処理等の生菌飛散防止処理を行うことができる。これにより、このフィルタユニットでは、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。
【００１６】
第１０の発明にかかるフィルタユニットは、第９の発明にかかるフィルタユニットにおいて、挿入部は開口である。
このフィルタユニットでは、挿入部が開口であるため、生菌飛散防止処理用手段として使用可能な加熱機器、電磁波照射器、オゾン等の活性種を生成する放電器等をフィルタユニット内に設置したり、生菌飛散防止処理の作業者が液体殺菌剤の散布、固体殺菌剤の散布、バイオ抗体の散布やコーティング剤の塗布等を行うためにフィルタユニット内にアクセスすることができる。
【００１７】
第１１の発明にかかるフィルタユニットは、第１０の発明にかかるフィルタユニットにおいて、フィルタは、光半導体を含んでいる。
このフィルタユニットでは、光半導体がフィルタの基材に担持、塗布、練り込み等により含まれているフィルタを備えているため、生菌飛散防止処理時に、挿入部から光源を挿入してフィルタを照射することによって、フィルタに捕捉された細菌類を死滅させることができる。これにより、フィルタ交換作業時の使用済みフィルタの取り外し前に、確実に滅菌処理を行うことができる。ここで、「光半導体」とは、酸化チタン、チタン酸ストロンチウム、酸化亜鉛、酸化タングステンや酸化鉄等に代表される金属酸化物、Ｃ６０等のフラーレンに代表される炭素系の光半導体、遷移金属からなるナイトライド、オキシナイトライド、光半導体能を有するアパタイト等である。
【００１８】
第１２の発明にかかるフィルタユニットは、第１１の発明にかかるフィルタユニットにおいて、光半導体は、光半導体能を有するアパタイトである。
フィルタの基材としては、通常、ガラス繊維、バインダとして樹脂を含む有機材料や不織布等の樹脂からなるものがよく用いられる。ところが、光半導体は樹脂を腐食する性質を有するため、樹脂を含むフィルタ基材に光半導体を担持、塗布、練り込み等により含まれるようにすると、フィルタ基材を腐食してしまうおそれがある。しかし、このフィルタユニットでは、光半導体が光半導体能を有するアパタイトを含むフィルタを備えており、光半導体能を有するアパタイトは樹脂を腐食しない性質を有するため、フィルタの基材に担持、塗布、練り込み等により含まれるようにする際に好適である。また、アパタイトは、細菌類との親和性が良好であるため、滅菌効果を高めるのにも寄与することができる。尚、「光半導体能を有するアパタイト」とは、例えば、カルシウムイオンをチタンイオンでイオン交換して光半導体能を持たせたカルシウムヒドロキシアパタイト等をいう。
【００１９】
第１３の発明にかかるフィルタユニットは、第９の発明にかかるフィルタユニットにおいて、挿入部はノズルである。
このフィルタユニットでは、挿入部がノズルであるため、生菌飛散防止処理用手段としてガス殺菌剤の散布を使用する際に、このノズルを通じて、フィルタユニット内にガス殺菌剤を流入させることができる。これにより、ガス殺菌剤がフィルタユニットの外側の空間に漏れるのを防ぐことができるため、滅菌効果を高めることができる。
【００２０】
第１４の発明にかかるフィルタユニットは、第１３の発明にかかるフィルタユニットにおいて、挿入部を含むフィルタの上流側からフィルタの下流側までの間の空間を遮断することが可能な開閉機構をさらに備えている。
このフィルタユニットでは、挿入部を含むフィルタの上流側からフィルタの下流側までの間の空間を遮断することが可能な開閉機構をさらに備えているため、生菌飛散防止処理用手段としてガス殺菌剤の散布を使用する際に、フィルタ付近の空間のみを他の空気流路と縁切りすることができる。これにより、ガス殺菌剤が空気流路を通じて建物内の他の空間に漏れるのを防ぐことができるため、滅菌効果を高めることができる。
【００２１】
第１５の発明にかかるフィルタ交換方法は、空気流路を形成するダクトと、空気流路内に空気を流す送風手段と、空気中に含まれる塵埃や細菌類を捕捉するフィルタを有しておりダクトに接続されたフィルタユニットとを備えた空気清浄システムにおいて、フィルタを交換するフィルタ交換方法であって、以下の手順によって行われる。まず、フィルタユニット又はダクトに設けられた挿入部から、生菌飛散防止処理用手段をフィルタユニット内又はダクト内に挿入する。次に、生菌飛散防止処理用手段を使用して、フィルタから細菌類が生きている状態で飛散するのを防止する生菌飛散防止処理を行う。次に、フィルタを取り外した後に、新しいフィルタと交換する。
【００２２】
このフィルタ交換方法では、フィルタ交換時において、使用済みフィルタを取り外す前に、滅菌処理やフィルタのコーティング処理等の生菌飛散防止処理を行うようにしている。これにより、このフィルタ交換方法では、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。
【００２３】
第１６の発明にかかるフィルタ交換方法は、第１５の発明にかかるフィルタ交換方法であって、生菌飛散防止処理時に、生菌飛散防止処理用手段を挿入部に挿入した状態において、送風手段により前記フィルタに空気を流す運転を行う。
生菌飛散防止処理用手段として、熱風によりフィルタを加熱する加熱機器、オゾン等の活性種を生成する放電器、殺菌剤やバイオ抗体の散布等を使用する場合には、熱風、活性種、殺菌剤やバイオ抗体をフィルタに確実に到達させなければ、十分な滅菌効果を発揮することができない。しかし、このフィルタ交換方法では、生菌飛散防止処理時に、生菌飛散防止処理用手段を挿入部から挿入した状態において、送風手段によりフィルタに空気を流す運転を行っているため、熱風によりフィルタを加熱する加熱機器、オゾン等の活性種を生成する放電器、殺菌剤やバイオ抗体の散布等を使用する場合であっても、熱風、活性種、殺菌剤やバイオ抗体をフィルタに確実に到達させることができる。これにより、フィルタ交換作業時の使用済みフィルタの取り外し前に、確実に滅菌処理を行うことができる。
【００２４】
第１７の発明にかかるフィルタ交換方法は、第１６の発明にかかるフィルタ交換方法であって、生菌飛散防止処理時に、送風手段によってフィルタに流される空気の風量を制御する。
このフィルタ交換方法では、生菌飛散防止処理作業時に、送風手段によって、フィルタを通過する空気の流速を抑える制御を行っているため、生菌飛散防止処理用手段として、熱風によりフィルタを加熱する加熱機器、オゾン等の活性種を生成する放電器、殺菌剤やバイオ抗体の散布等を使用する場合に、フィルタ付近における、熱風、活性種、殺菌剤やバイオ抗体の滞留時間を長くすることができる。これにより、フィルタの滅菌効果を高めることができる。
【発明の効果】
【００２５】
以上の説明に述べたように、本発明によれば、以下の効果が得られる。
第１の発明では、生菌飛散防止処理用手段をフィルタユニット内又はダクト内に挿入するための挿入部が設けられているため、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。
【００２６】
第２の発明では、挿入部が開口であるため、生菌飛散防止処理用手段として使用可能な加熱機器、電磁波照射器、オゾン等の活性種を生成する放電器等をフィルタユニット内又はダクト内に設置したり、生菌飛散防止処理の作業者が液体殺菌剤の散布、固体殺菌剤の散布、バイオ抗体の散布やコーティング剤の塗布等を行うためにフィルタユニット内又はダクト内にアクセスすることができる。
【００２７】
第３の発明では、生菌飛散防止処理用手段を挿入部から挿入した状態において、送風手段によりフィルタに空気を流す運転を行うことが可能であるため、熱風によりフィルタを加熱する加熱機器、オゾン等の活性種を生成する放電器、殺菌剤やバイオ抗体の散布等を使用する場合であっても、熱風、活性種、殺菌剤やバイオ抗体をフィルタに確実に到達させることができて、フィルタ交換作業時の使用済みフィルタの取り外し前に、確実に滅菌処理を行うことができる。
【００２８】
第４の発明では、送風手段が風量を可変することが可能な送風ファンであるため、生菌飛散防止処理作業時に、フィルタを通過する空気の流速を抑える制御を行って、フィルタ付近における熱風、活性種、固体殺菌剤やバイオ抗体の滞留時間を長くすることができて、滅菌効果を高めることができる。
第５の発明では、フィルタが光半導体を含んでいるため、生菌飛散防止処理時に、挿入部から光源を挿入してフィルタを照射することによって、フィルタに捕捉された細菌類を死滅させることができて、フィルタ交換作業時の使用済みフィルタの取り外し前に、確実に滅菌処理を行うことができる。
【００２９】
第６の発明では、光半導体が光半導体能を有するアパタイトを含むフィルタを備えており、光半導体能を有するアパタイトは樹脂を腐食しない性質を有するため、フィルタの基材に担持、塗布、練り込み等により含まれるようにする際に好適である。
第７の発明では、挿入部がノズルであるため、生菌飛散防止処理用手段としてガス殺菌剤の散布を使用する際に、ガス殺菌剤がフィルタユニット又はダクトの外側の空間に漏れるのを防ぎつつ、このノズルを通じて、フィルタユニット内又はダクト内にガス殺菌剤を流入させることができるようになり、滅菌効果を高めることができる。
【００３０】
第８の発明では、挿入部を含むフィルタの上流側からフィルタの下流側までの間の空間を遮断することが可能な開閉機構をさらに備えているため、生菌飛散防止処理用手段としてガス殺菌剤の散布を使用する際に、フィルタ付近の空間のみを他の空気流路と縁切りして、ガス殺菌剤が空気流路を通じて建物内の他の空間に漏れるのを防ぐことができるようになり、滅菌効果を高めることができる。
【００３１】
第９の発明では、生菌飛散防止処理用手段をフィルタユニット内に挿入するための挿入部が設けられているため、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。
【００３２】
第１０の発明では、挿入部が開口であるため、生菌飛散防止処理用手段として使用可能な加熱機器、電磁波照射器、オゾン等の活性種を生成する放電器等をフィルタユニット内に設置したり、生菌飛散防止処理の作業者が液体殺菌剤の散布、固体殺菌剤の散布、バイオ抗体の散布やコーティング剤の塗布等を行うためにフィルタユニット内にアクセスすることができる。
【００３３】
第１１の発明では、フィルタが光半導体を含んでいるため、生菌飛散防止処理時に、挿入部から光源を挿入してフィルタを照射することによって、フィルタに捕捉された細菌類を死滅させることができて、フィルタ交換作業時の使用済みフィルタの取り外し前に、確実に滅菌処理を行うことができる。
第１２の発明では、光半導体が光半導体能を有するアパタイトを含むフィルタを備えており、光半導体能を有するアパタイトは樹脂を腐食しない性質を有するため、フィルタの基材に担持、塗布、練り込み等により含まれるようにする際に好適である。
【００３４】
第１３の発明では、挿入部がノズルであるため、生菌飛散防止処理用手段としてガス殺菌剤の散布を使用する際に、ガス殺菌剤がフィルタユニットの外側の空間に漏れるのを防ぎつつ、このノズルを通じて、フィルタユニット内にガス殺菌剤を流入させることができるようになり、滅菌効果を高めることができる。
第１４の発明では、挿入部を含むフィルタの上流側からフィルタの下流側までの間の空間を遮断することが可能な開閉機構をさらに備えているため、生菌飛散防止処理用手段としてガス殺菌剤の散布を使用する際に、フィルタ付近の空間のみを他の空気流路と縁切りして、ガス殺菌剤が空気流路を通じて建物内の他の空間に漏れるのを防ぐことができるようになり、滅菌効果を高めることができる。
【００３５】
第１５の発明にかかるフィルタ交換方法では、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。
第１６の発明にかかるフィルタ交換方法では、生菌飛散防止処理時に、生菌飛散防止処理用手段を挿入部から挿入した状態において、送風手段によりフィルタに空気を流す運転を行っているため、熱風によりフィルタを加熱する加熱機器、オゾン等の活性種を生成する放電器、固体殺菌剤の散布やバイオ抗体の散布等を使用する場合であっても、熱風、活性種、固体殺菌剤やバイオ抗体をフィルタに確実に到達させることができるようになり、フィルタ交換作業時の使用済みフィルタの取り外し前に、確実に滅菌処理を行うことができる。
【００３６】
第１７の発明にかかるフィルタ交換方法では、生菌飛散防止処理作業時に、送風手段によって、フィルタを通過する空気の流速を抑える制御を行って、フィルタ付近における熱風、活性種、固体殺菌剤やバイオ抗体の滞留時間を長くすることができるため、滅菌効果を高めることができる。
【発明を実施するための最良の形態】
【００３７】
以下、図面に基づいて、本発明にかかる空気清浄システム、フィルタユニット、及びフィルタ交換方法の実施形態について説明する。
（１）空気調和システムの構成
図１に、本発明の一実施形態にかかる空気清浄システムが採用された空気調和システム１の概略のシステム構成図を示す。本実施形態の空気調和システム１は、室内の浮遊粉塵濃度を０．１５ｍｇ／ｍ3以下に保持する仕様の医療施設等の建物内に設置される空気調和システムである。
【００３８】
空気調和システム１は、主として、外気導入ダクト１１と、外気導入ダンパ１２と、第１ダクト１３と、ダクト式空調ユニット１４と、送風機１５、２０と、第２ダクト１６と、第３ダクト１７と、排気ダクト１８と、フィルタユニット１９とを備えている。
＜外気導入ダクト＞
外気導入ダクト１１は、屋外に通じており、屋外から室内へ室外空気ＯＡ（図１参照）を導入するために設けられている。なお、この外気導入ダクト１１の一端は、屋外に面しており、プレフィルタ１１ａが設けられている。このプレフィルタ１１ａは、比較的大きな塵埃を捕捉するためのフィルタである。また、この外気導入ダクト１１の他端には、第１ダクト１３及び第３ダクト１７が接続されている。また、外気導入ダクト１１、第１ダクト１３及び第３ダクト１７の接続位置には、外気導入ダンパ１２が設けられている。
【００３９】
＜外気導入ダンパ＞
外気導入ダンパ１２は、外気導入ダクト１１と第１ダクト１３との接続位置に設けられている。外気導入ダンパ１２は、第１状態と第２状態とに切り換えが可能になっている。具体的には、第１状態（図１の実線の状態）においては室外空気ＯＡの導入が遮断され、第２状態（図１の点線の状態）においては室外空気ＯＡの導入が行われるように切り換え可能になっている。
【００４０】
＜第１ダクト＞
第１ダクト１３は、その一端が外気導入ダクト１１及び第３ダクト１７に接続されており、他端が送風機１５の吸入側に接続されている。これにより、第１ダクト１３には、外気導入ダクト１１を通じて屋外から導入された室外空気ＯＡ、第３ダクト１７を通じて室内から導出された室内空気ＲＡ１（図１参照）、又は、室外空気ＯＡと室内空気ＲＡ１との混合空気からなる循環空気ＣＡ１（図１参照）が流れることになる。
【００４１】
＜ダクト式空調ユニット＞
ダクト式空調ユニット１４は、第１ダクト１３に接続されており、主として、循環空気ＣＡ１と熱交換を行う熱交換器（図示せず）を有している。この熱交換器は、屋外等に設置された熱源ユニット（図示せず）と冷媒配管を介して接続されている。このダクト式空調ユニット１４では、第１ダクト１３を流れる循環空気ＣＡ１が空気調和されて空調空気ＣＡ２として送風機１５に吸入されることになる。
【００４２】
＜送風機＞
送風機１５は、ダクト式空調ユニット１４において空気調和された空調空気ＣＡ２（図１参照）を昇圧するために設けられており、本実施形態において、風量を可変することが可能である。具体的には、送風機１５の羽根車（図示せず）を回転駆動するモータとしてＤＣモータを備えていたり、開度調節が可能な吸入ダンパ（図示せず）を備える等により、風量を可変できるようになっている。送風機１５において昇圧された空気は、第２ダクト１６を通じて供給空気ＳＡとして室内に供給されることになる。尚、この送風機１５は、ダクト式空調ユニット１４に内蔵されていてもよい。
【００４３】
＜第２ダクト＞
第２ダクト１６は、一端が送風機１５の吐出側に接続されており、他端が室内の給気口１６ａに接続されている。第２ダクト１６では、送風機１５において昇圧された供給空気ＳＡが室内に向かって流れることになる。
＜第３ダクト＞
第３ダクト１７は、その一端が第１ダクト１３に接続されており、他端が室内の排気口１７ａに接続されている。第３ダクト１７では、室内の空調のためにダクト式空調ユニット１４に送られる室内空気ＲＡ１が流れることになる。
【００４４】
＜排気ダクト＞
排気ダクト１８は、その一端が室内の排気口１８ａに接続されており、他端が送風機２０を介して屋外に通じている。この排気ダクト１８では、室内に吹き出された供給空気ＳＡの一部が排出空気ＥＡ（図１参照）として排気される。
＜送風機＞
送風機２０は、排気ダクト１８から排気される排出空気ＥＡ（図１参照）を昇圧するために設けられており、本実施形態において、送風機１５と同様、風量を可変することが可能である。
【００４５】
＜フィルタユニット＞
フィルタユニット１９は、第２ダクト１６、第３ダクト１７及び排気ダクト１８の各空気流路の途中に挿入されるように設けられている。図２に、本実施形態のフィルタユニット１９の概略の断面図を示す。このフィルタユニット１９は、主として、各ダクト１６、１７、１８に接続されるユニットケーシング９１と、ユニットケーシング９１に支持されており空気中に含まれる塵埃や細菌を捕捉するフィルタ９２とを備えている。
【００４６】
フィルタ９２は、上述のように、室内の浮遊粉塵濃度を０．１５ｍｇ／ｍ3以下の空気を清浄することが可能なフィルタであって、本実施形態において、ＨＥＰＡフィルタからなるフィルタ基材と光触媒アパタイトとを有している。ここで、「ＨＥＰＡ」フィルタとは、High Efficiency Particulate Air Filter（高性能微粒子フィルタ）の略語であって、０.３ミクロン以上のものなら粉塵・花粉・細菌を問わず、あらゆる種類の微粒子を９９.９７％以上除去する性能を持つフィルタの総称である（世界規格＝ＮＡＳＡ規格）。また、本明細書では、ＨＥＰＡフィルタは、ＵＬＰＡフィルタを含む。ここにいう「ＵＬＰＡ」フィルタとは、Ultra low penetration airの略語であって、０.１ミクロン以上のものなら粉塵・花粉・細菌を問わず、あらゆる種類の微粒子を９９.９９５％以上除去する性能を持つフィルタの総称である。光触媒アパタイトは、カルシウムヒドロキシアパタイトの一部のカルシウム原子をチタン原子に置換した物質からなり、フィルタ基材に担持、塗布、練り込み等により設けられている。光触媒アパタイトは、細菌類に対して高い吸着能を示すとともに、光半導体能を示すため、光源等から適切な波長域の光をフィルタ９２に照射することによって、光触媒アパタイトが光半導体能を発揮して、フィルタ９２に捕捉された細菌類を死滅させることが可能である。尚、室内の浮遊粉塵濃度等の要求仕様が本実施形態における仕様と異なる場合には、ＨＥＰＡフィルタに代えて、中性能フィルタや高性能フィルタ等を使用してもよい。
【００４７】
ユニットケーシング９１には、後述のフィルタ交換作業におけるフィルタ９２の取り外し時に、フィルタ９２から細菌が生きている状態で飛散するのを防止する生菌飛散防止処理に使用する生菌飛散防止処理用手段を内部に挿入するための挿入部９１ａが設けられている。より具体的には、本実施形態のフィルタユニット１９においては、フィルタ９２が光半導体能を有するアパタイト（以下、光触媒アパタイトとする）を含んでいるため、光触媒アパタイトの光半導体能を発揮させるための光源９３を、生菌飛散防止処理用手段として、ユニットケーシング９１内に挿入することが可能な開口からなる挿入部９１ａが設けられている。この挿入部９１ａは、空気調和システム１の運転時に、開口を閉鎖しておくことが可能である。これにより、フィルタ９２の取り外し前に、細菌類が生きている状態で飛散するのを防止する生菌飛散防止処理として、挿入部９１ａから光源を挿入して、フィルタ９２に捕捉された細菌類を死滅させる滅菌処理を行うことが可能になっている。ここで、挿入部９１ａは、図２及び図３に示されるように、フィルタ９２の上流側の位置及び下流側の位置のいずれに設けられていてもよいが、本実施形態においては、光源からの光を効率的よくフィルタ９２に照射することができるように、フィルタ９２の上流側の位置に設けられることが望ましい。尚、挿入部９１ａは、本実施形態のように、ユニットケーシング９１に設けてもよいし、フィルタユニット１９に接続された第２ダクト１６、第３ダクト１７及び排気ダクト１８に設けてもよい。
【００４８】
（２）使用済みフィルタの交換方法
次に、フィルタユニット１９の使用済みのフィルタ９２の交換方法について説明する。
使用済みフィルタの交換方法は、次の手順によって行われる。
まず、フィルタ交換作業者が、フィルタユニット１９（又は、ダクト１６、１７、１８）の挿入部９１ａから、生菌飛散防止処理用手段としての光源９３をユニットケーシング９１（又は、ダクト１６、１７、１８）内に挿入する。
【００４９】
次に、光源によって適切な波長域の光でフィルタ９２を照射して、フィルタ９２に捕捉された細菌類を死滅させて滅菌することにより、フィルタ９２から細菌類が生きている状態で飛散するのを防止する生菌飛散防止処理を行う。
その後、使用済みのフィルタ９２を取り外して、新しいフィルタと交換し、使用済みのフィルタ９２を袋詰め等して廃棄する。
【００５０】
（３）空気調和システムの特徴
本実施形態の空気清浄システムの一例としての空気調和システム１（フィルタユニット１９、フィルタ交換方法を含む）には、以下のような特徴がある。
（Ａ）
本実施形態の空気調和システム１では、生菌飛散防止処理用手段（本実施形態では、光源９３）をユニットケーシング９１（又は、ダクト１６、１７、１８）内に挿入するための挿入部９１ａ（本実施形態では、開口）が設けられているため、フィルタ交換時において、使用済みのフィルタ９２を取り外す前に、生菌飛散防止処理（本実施形態では、フィルタ９２を光源９３で照射し、フィルタ９２に含まれる光触媒アパタイトの光半導体能を発揮させることによる滅菌処理）を行うことができる。これにより、この空気調和システム１では、フィルタ交換作業時のフィルタ取り外し時に、細菌類が生きている状態で飛散するのを確実に防止できるため、フィルタ交換作業者がフィルタ取り外し時に細菌類を含んだ塵埃を吸入したり、細菌類の飛散による院内感染を防止することができる。しかも、この挿入部９１ａが、図２に示されるように、フィルタ９２の上流側の位置に設けられている場合には、多くの細菌類が捕捉されているフィルタ９２の上流側の面から効率的よく生菌飛散防止処理を行うことができる。一方、挿入部９１ａが、図３に示されるように、フィルタ９２の下流側の位置に設けられている場合には、比較的清浄なフィルタ９２の下流側の面から衛生的に生菌飛散防止処理を行うことができる。
【００５１】
（Ｂ）
また、本実施形態のフィルタユニット１９のフィルタ９２のＨＥＰＡフィルタがバインダとして樹脂を含む有機材料や不織布等の樹脂からなるものであっても、フィルタ基材に光半導体を直接的に担持、塗布、練り込み等により含まれるようにするのではなく、光半導体能を有するアパタイトとして担持、塗布、練り込み等により含まれるようにしているため、フィルタ基材を腐食することもなく、また、アパタイトは、細菌類との親和性が良好であるため、滅菌効果を高めるのにも寄与することができる。
【００５２】
（４）変形例１
上述の空気調和システム１においては、フィルタユニット１９を構成するフィルタ９２として、ＨＥＰＡフィルタに光半導体能を有するアパタイトを担持、塗布、練り込み等により含まれるようにしたものを採用するとともに、ユニットケーシング９１（又は、ダクト１６、１７、１８）に開口からなる挿入部９１ａを設けて生菌飛散防止処理用手段としての光源９３を挿入できるようにしているが、フィルタ９２としてはＨＥＰＡフィルタのみを使用し、かつ、ユニットケーシング９１（又は、ダクト１６、１７、１８）に開口からなる挿入部９１ａを設けるとともに、生菌飛散防止処理用手段として活性種を生成する放電器９４を挿入できるようにすることで、フィルタ９２の取り外し前に、この活性種によってフィルタ９２に捕捉された細菌類を死滅させる処理ができるようにしてもよい。ここで、放電器９４としては、イオン、オゾン、ヒドロキシラジカル等を生成するグロー放電器、バリア放電器、又はストリーマ放電器等が使用可能である。
【００５３】
本変形例の空気調和システム１においても、生菌飛散防止処理用手段（本実施形態では、放電器９４）をユニットケーシング９１（又は、ダクト１６、１７、１８）内に挿入するための挿入部９１ａ（本実施形態では、開口）が設けられているため、フィルタ交換時において、使用済みのフィルタ９２を取り外す前に、生菌飛散防止処理（本実施形態では、放電器９４において活性種を生成し、この活性種によるフィルタ９２の滅菌処理）を行うことができる。尚、本変形例においては、挿入部９１ａがフィルタ９２の上流側の位置や下流側の位置のどちらに設けられていても、基本的には同様な効果が得られるが、フィルタ９２に活性種を効率よく供給することを優先する場合には、挿入部９１ａをフィルタ９２の上流側の位置に設けることが望ましい。
【００５４】
また、本変形例の空気調和システム１のように、生菌飛散防止処理用手段として活性種を生成する放電器９４を使用する場合には、生菌飛散防止処理用手段としての放電器９４を挿入部９１ａから挿入した状態において、送風手段としての送風機１５、２０によりフィルタ９２に空気を流す運転を行って、放電器９４で生成する活性種をフィルタ９２に確実に到達させるようにすることが望ましい。さらに、本変形例では、風量を可変可能な送風機１５、２０を使用しているため、放電器９４を使用した生菌飛散防止処理作業時に、フィルタ９２を通過する空気の流速を抑える制御を行うことによって、フィルタ９２付近における活性種の滞留時間を長くして、フィルタ９２の滅菌効果を高めることがより望ましい。
【００５５】
（５）変形例２
変形例１の空気調和システム１においては、生菌飛散防止処理用手段として放電器９４を採用しているが、フィルタ９２を加熱してフィルタ９２に捕捉された細菌類を死滅させることが可能な加熱機器９５を挿入部９１ａから挿入できるようにしてもよい。ここで、加熱機器９５としては、乾熱法により加熱する場合には、フィルタ９２を直接加熱する電気ヒータやフィルタ９２に熱風を送ることによってフィルタ９２を加熱する熱交換器を使用することが可能である。また、湿熱法により加熱する場合には、電気ヒータや熱交換器とともに加湿器を併用したり、高周波加熱器やスチーム発生器等を使用することが可能である。そして、乾熱法により加熱する場合には、フィルタ９２を、１６０℃から１７０℃まで加熱して１２０分保持する、１７０℃から１８０℃まで加熱して６０分保持する、又は、１８０℃から１９０℃まで加熱して３０分保持するという殺菌条件が採用される。また、湿熱法により加熱する場合には、フィルタ９２を、１１５℃から１１８℃まで加熱して３０分保持する、１２１℃から１２４℃まで加熱して１５〜２０分保持する、又は、１２６℃から１２９℃まで加熱して１０分保持するという殺菌条件が採用される。尚、本変形例においては、挿入部９１ａがフィルタ９２の上流側の位置や下流側の位置のどちらに設けられていても、同様な効果が得られる。
【００５６】
また、加熱機器９５としてフィルタ９２に熱風を送ることによってフィルタ９２を加熱する熱交換器を使用する場合には、生菌飛散防止処理用手段としての加熱機器９５を挿入部９１ａから挿入した状態において、送風手段としての送風機１５、２０によりフィルタ９２に空気を流す運転を行って、加熱機器９５において生成した熱風をフィルタ９２に確実に到達させるようにすることが望ましい。さらに、本変形例では、風量を可変可能な送風機１５、２０を使用しているため、加熱機器９５を使用した生菌飛散防止処理作業時に、フィルタ９２を通過する空気の流速を抑える制御を行うことによって、フィルタ９２付近における熱風の滞留時間を長くして、フィルタ９２の滅菌効果を高めることがより望ましい。
【００５７】
（６）変形例３
上述の空気調和システム１においては、フィルタユニット１９を構成するフィルタ９２として、ＨＥＰＡフィルタに光半導体能を有するアパタイトを担持、塗布、練り込み等により含まれるようにしたものを採用するとともに、ユニットケーシング９１（又は、ダクト１６、１７、１８）に開口からなる挿入部９１ａを設けて生菌飛散防止処理用手段としての光源９３を挿入できるようにしているが、フィルタ９２としてはＨＥＰＡフィルタのみを使用し、かつ、ユニットケーシング９１（又は、ダクト１６、１７、１８）に開口からなる挿入部９１ａを設けるとともに、生菌飛散防止処理用手段として高エネルギーの電磁波（例えば、紫外線、γ線、電子線、Ｘ線、又は高周波等）を発生する照射器９６を挿入できるようにすることで、フィルタ９２の取り外し前に、この電磁波によってフィルタ９２に捕捉された細菌類を死滅させる処理ができるようにしてもよい。ここで、照射器９６として高周波発生器を使用する場合には、変形例２と同様に、加湿器等によりフィルタ９２が保湿させることが望ましい。また、尚、本変形例においては、挿入部９１ａがフィルタ９２の上流側の位置や下流側の位置のどちらに設けられていても、基本的には同様な効果が得られるが、フィルタ９２に電磁波を減衰させることなく照射することを優先する場合には、挿入部９１ａをフィルタ９２の上流側の位置に設けることが望ましい。
【００５８】
（７）変形例４
変形例３の空気調和システム１においては、生菌飛散防止処理用手段として照射器９６を採用しているが、各種殺菌剤やバイオ抗体等をフィルタ９２に散布してフィルタ９２に捕捉された細菌類を死滅させることが可能な殺菌剤散布器９７を挿入部９１ａから挿入できるようにしてもよい。ここで、殺菌剤としては、ガス殺菌剤、液体殺菌剤、固体殺菌剤やバイオ抗体等がある。そして、ガス殺菌剤としては、エチレンオキサイドやホルマリン等の有機系ガス、又は、活性種を含むガスがある。液体殺菌剤としては、アルコール類やフェノール類等の有機溶剤、過酸化水素水、オゾン水、又は、水分散タイプや有機溶剤分散タイプの界面活性剤等がある。固体殺菌剤としては、ヨウ素等がある。尚、本変形例においては、挿入部９１ａがフィルタ９２の上流側の位置や下流側の位置のどちらに設けられていても、基本的には同様な効果が得られるが、液体殺菌剤や固体殺菌剤を使用する場合には、殺菌剤の使用量を減らすことを優先する場合には、挿入部９１ａをフィルタ９２の上流側の位置に設けることが望ましい。
【００５９】
また、殺菌剤として固体殺菌剤やバイオ抗体等を散布する場合には、生菌飛散防止処理用手段としての殺菌剤散布器９７を挿入部９１ａから挿入した状態において、送風手段としての送風機１５、２０によりフィルタ９２に空気を流す運転を行って、殺菌剤をフィルタ９２に確実に到達させるようにすることが望ましい。さらに、本変形例では、風量を可変可能な送風機１５、２０を使用しているため、殺菌剤散布器９７を使用した生菌飛散防止処理作業時に、フィルタ９２を通過する空気の流速を抑える制御を行うことによって、フィルタ９２付近における殺菌剤の滞留時間を長くして、フィルタ９２の滅菌効果を高めることがより望ましい。
【００６０】
また、殺菌剤としてガス殺菌剤を使用する場合には、図２及び図３に示されるような開口からなる挿入部９１ａではなく、図４に示されるように、ユニットケーシング９１（又は、ダクト１６、１７、１８）にノズルからなる挿入部９１ｂを設けて、この挿入部９１ｂを通じて、ユニットケーシング９１（又は、ダクト１６、１７、１８）にガス殺菌剤を流入させることができる。これにより、ガス殺菌剤がユニットケーシング９１（又は、ダクト１６、１７、１８）の外側の空間に漏れるのを防ぐことができる。さらに、図４に示されるように、フィルタ９２を含む挿入部９１ｂの上流側からフィルタ９２の下流側までの間の空間を遮断することが可能な開閉機構としてのダンパ９８を備えるようにしてもよい。このダンパ９８は、空気調和システム１の運転時には図４の点線で示される状態となり、フィルタ交換作業時には図３の実線で示される状態となるように開閉可能である。これにより、ガス殺菌剤を散布する場合に、フィルタ９２付近の空間のみを他の空気流路と縁切りすることができるようになり、ガス殺菌剤がダクト１６、１７、１８の空気流路を通じて建物内の他の空間に漏れるのを防ぐことができる。尚、図４においては、挿入部９１ｂがフィルタ９２の上流側の位置に設けられているが、図３に示される挿入部９１ａと同様に、フィルタ９２の下流側の位置に設けられていてもよい。
【００６１】
（８）変形例５
変形例４の空気調和システム１においては、生菌飛散防止処理用手段として殺菌剤散布器９７等を用いた殺菌剤の散布を採用し、生菌飛散防止処理としてフィルタ９２に捕捉された細菌類を死滅させる処理を行っているが、生菌飛散防止処理は、フィルタ交換作業時のフィルタ取り外し時に、細菌類が生きている状態で飛散するのを確実に防止できればよいため、フィルタ９２にコーティング剤を塗布してフィルタ９２に捕捉された細菌類が飛散しないようにするコーティング処理を生菌飛散防止処理用手段として採用してもよい。ここで、コーティング剤としては、エチレン・酢酸ビニル共重合体（略称：ＥＶＡ）等のマスキング剤、噴霧タイプ又は液状のノリ、常温で乾燥・硬化するタイプの塗料、又は、アクリル樹脂等のワックス等が使用可能である。尚、本変形例においては、挿入部９１ａがフィルタ９２の上流側の位置や下流側の位置のどちらに設けられていても、基本的には同様な効果が得られるが、コーティング剤の使用量を減らすことを優先する場合には、挿入部９１ａをフィルタ９２の上流側の位置に設けることが望ましい。
【００６２】
（９）他の実施形態
以上、本発明の実施形態について図面に基づいて説明したが、具体的な構成は、これらの実施形態に限られるものではなく、発明の要旨を逸脱しない範囲で変更可能である。
（Ａ）
上述の実施形態及びその変形例にかかる空気調和システム１においては、フィルタユニット１９が、第２ダクト１６、第３ダクト１７及び排気ダクト１８の各空気流路の途中に挿入されるように設けられているが、フィルタユニット１９が、第２ダクト１６の給気口１６ａ、第３ダクト１７排気口１７ａ及び排気ダクト１８の排気口１８ａに設けられていてもよい。
【００６３】
（Ｂ）
上述の実施形態及びその変形例にかかる空気調和システムは、医療施設のみならず、クリーンルームにも適用可能である。
（Ｃ）
上述の実施形態及びその変形例にかかる空気調和システムにおいて、ユニットケーシング又はダクトに設けられる挿入部は、生菌飛散防止処理用手段を挿入のみを目的として設けたものではなく、例えば、フィルタリーク試験のために設けられているエアロゾルの投入口や濃度均一性の確認部を挿入部として兼用してもよい。
【産業上の利用可能性】
【００６４】
本発明を利用すれば、空気流路を形成するダクトにフィルタユニットを接続して構成される空気清浄システムにおいて、フィルタ交換作業時の使用済みフィルタの取り外し時に、使用済みフィルタから細菌類が生きている状態で飛散するのを防止することができる。
【図面の簡単な説明】
【００６５】
【図１】本発明の一実施形態にかかる空気清浄システムが採用された空気調和システムの概略のシステム構成図である。
【図２】フィルタユニットの概略の断面図である（挿入部をフィルタの上流側に設けた場合）。
【図３】フィルタユニットの概略の断面図である（挿入部をフィルタの下流側に設けた場合）。
【図４】変形例４にかかるフィルタユニットの概略の断面図である（挿入部をフィルタの上流側に設けた場合）。
【符号の説明】
【００６６】
１  空気調和システム（空気清浄システム）
１５、２０  送風機（送風手段）
１６、１７、１８  ダクト
１９  フィルタユニット
９１  ユニットケーシング
９１ａ、９１ｂ  挿入部
９２  フィルタ
９８  ダンパ（開閉機構）
【図１】
2006014848.tif 000003
【図２】
2006014848.tif 000004
【図３】
2006014848.tif 000005
【図４】
2006014848.tif 000006